(57)【要約】【課題】電力系統保護制御システムの保守作業の効率を向上させる。【解決手段】電力系統保護制御システムは、保護制御装置１と遠隔制御装置２を有する。保護制御装置１は、電力系統内の複数の機器に接続されてこれらの機器の保護および制御を行い、複数の機器それぞれの状態を示す状態情報を記憶する手段と、状態情報を所定の表示形式で表示するための表示形式情報を記憶する手段と、状態情報および表示形式情報それぞれを遠隔制御装置２へ伝送する伝送手段と、を有する。遠隔制御装置２は、保護制御装置１と互いに通信可能に構成されて、状態情報および表示形式情報それぞれを受信して記憶する手段と、表示形式情報の表示形式に基づいて、予め設定された時点の状態情報を表示する手段と、を有する。【選択図】図１
2010166725.tif 000002
【特許請求の範囲】
【請求項１】
電力系統内の複数の機器に接続されてこれらの機器の保護および制御を行う保護制御装置と、この保護制御装置と互いに通信可能に構成された遠隔制御装置を有する電力系統保護制御システムにおいて、
前記保護制御装置は、
前記複数の機器それぞれの状態を示す状態情報を記憶する状態情報記憶手段と、
前記状態情報を所定の表示形式で表示するための表示形式情報を記憶する表示形式記憶手段と、
前記状態情報および表示形式情報それぞれを前記遠隔制御装置へ伝送する伝送手段と、
を有し、
前記遠隔制御装置は、
前記伝送手段で伝送された前記状態情報および表示形式情報それぞれを受信して、前記表示形式情報の表示形式に基づいて前記状態情報を表示する表示手段と、
前記表示手段で表示されている前記状態情報および表示形式情報を、所定の時点で保存する伝送情報保存手段と、
前記伝送情報保存手段で保存した前記状態情報および表示形式情報を出力する出力手段と、
を有することを特徴とする電力系統保護制御システム。
【請求項２】
前記伝送情報保存手段は、所定の時点で保存した前記状態情報および表示形式情報を、編集可能な電子情報に変換して保存する手段を含むことを特徴とする請求項１に記載の電力系統保護制御システム。
【請求項３】
前記伝送情報保存手段は、所定の時点で保存した前記表示形式情報に含まれる表示形式とは別の表示形式に変換して保存する手段を含むことを特徴とする請求項１または請求項２に記載の電力系統保護制御システム。
【請求項４】
前記遠隔制御装置は、前記機器の動作条件を含む制御情報を前記保護制御装置へ複数回伝送する制御情報伝送手段を有し、
前記保護制御装置は、
前記制御情報伝送手段により伝送された前記制御情報を保存する制御情報保存手段と、
複数回伝送された前記制御情報のうち、初回と初回以降に伝送された前記制御情報を比較して一致するか否かを判定する制御情報判定手段と、
前記制御情報判定手段で前記制御情報同士が一致したと判定されたときに、前記制御情報を更新する制御情報更新手段と、
前記制御情報更新手段で更新した結果を前記遠隔制御装置に通知する更新通知手段と、
を有することを特徴とする請求項１ないし請求項３のいずれか一項に記載の電力系統保護制御システム。
【請求項５】
前記出力手段は、紙出力を含むことを特徴とする請求項１ないし請求項４のいずれか一項に記載の電力系統保護制御システム。
【発明の詳細な説明】
【技術分野】
【０００１】
本発明は、電力系統内の機器を保護および制御する電力系統保護制御システムに関する。
【背景技術】
【０００２】
電力系統の保護制御システムは、電力系統内の機器の保護および制御を行う保護制御装置と、この保護制御装置と通信ネットワークを介して互いに通信可能なパーソナルコンピュータ（汎用パソコン）などの遠隔制御装置を有する。
【０００３】
近年、電力需要の増大に伴って電力系統は広域に分散している。広域に分散された電力系統を保護制御するための保護制御装置の個数は増大する傾向にある。このため、多数の保護制御装置それぞれに対する監視および保守作業などを省力化する必要がある。
【０００４】
保護制御システムの保守作業については、例えば特許文献１に開示されているように、保護制御演算に影響を与えることなく遠隔から整定変更などを高速におこなうための手法が知られている。
【先行技術文献】
【特許文献】
【０００５】
【特許文献１】特開２００４−７２８１６号公報
【発明の概要】
【発明が解決しようとする課題】
【０００６】
ところが、上記の例では、保護制御装置と汎用パソコンとのデータ転送のときにデータの正誤判断を行うような機能がない。
【０００７】
従来の保護制御システムは、汎用パソコンなどの表示部に表示される情報を保守員が手作業で記録しているため、装置動作時および定期点検などの保守業務において、誤記などにより作業効率が低下することがあった。また、電流や電圧などの複数のデータを同じタイミングで記録できないなどの不具合もあった。
【０００８】
また、保護制御装置に対する制御条件などの入力作業についても、保守員が手作業で行っていたために、誤入力が発生する可能性がある。
【０００９】
本発明は上記課題を解決するためになされたものであり、その目的は、電力系統保護制御システムの保守作業の効率を向上させることである。
【課題を解決するための手段】
【００１０】
上記目的を達成するための本発明に係る電力系統保護制御システムは、電力系統内の複数の機器に接続されてこれらの機器の保護および制御を行う保護制御装置と、この保護制御装置と互いに通信可能に構成された遠隔制御装置を有する電力系統保護制御システムにおいて、前記保護制御装置は、前記複数の機器それぞれの状態を示す状態情報を記憶する状態情報記憶手段と、前記状態情報を所定の表示形式で表示するための表示形式情報を記憶する表示形式記憶手段と、前記状態情報および表示形式情報それぞれを前記遠隔制御装置へ伝送する伝送手段と、を有し、前記遠隔制御装置は、前記伝送手段で伝送された前記状態情報および表示形式情報それぞれを受信して、前記表示形式情報の表示形式に基づいて前記状態情報を表示する表示手段と、前記表示手段で表示されている前記状態情報および表示形式情報を、所定の時点で保存する伝送情報保存手段と、前記伝送情報保存手段で保存した前記状態情報および表示形式情報を出力する出力手段と、を有することを特徴とする。
【発明の効果】
【００１１】
本発明によれば、電力系統保護制御システムの保守作業の効率を向上させることが可能になる。
【図面の簡単な説明】
【００１２】
【図１】本発明に係る電力系統保護制御システムの第１の実施形態の概略構成図である。
【図２】図１の汎用パソコン（遠隔制御装置）の表示画面の表示形式の一例を示す図である。
【図３】図１の実施形態の汎用パソコン（遠隔制御装置）の表示画面の表示形式と同じ表示形式で印刷を行うまでのフローを示すフローチャートである。
【図４】本発明に係る電力系統保護制御システムの第２の実施形態の概略構成図である。
【図５】本発明に係る電力系統保護制御システムの第２の実施形態を示すフローで、汎用パソコン（遠隔制御装置）の表示画面の表示形式と同じ表示形式で電子ファイルに保存するまでのフローを示すフローチャートである。
【図６】本発明に係る電力系統保護制御システムの第３の実施形態を示すフローで、汎用パソコン（遠隔制御装置）の表示画面の表示形式と同じ表示形式で編集可能な電子ファイルに変換して保存するまでのフローを示すフローチャートである。
【図７】本発明に係る電力系統保護制御システムの第４の実施形態の状態情報を表示する表示形式の例を示す図である。
【図８】本発明に係る電力系統保護制御システムの第４の実施形態を示すフローで、保護制御装置から状態情報を取得して図７の表示形式で印刷するまでのフローを示すフローチャートである。
【図９】本発明に係る電力系統保護制御システムの第５の実施形態を示すフローで、保護制御装置から状態情報を取得して予め設定した表示形式で印刷するまでのフローを示すフローチャートである。
【図１０】本発明に係る電力系統保護制御システムの第６の実施形態を示すフローで、保護制御装置から状態情報を取得して予め設定された日時に所定の表示形式で印刷するまでのフローを示すフローチャートである。
【図１１】本発明に係る電力系統保護制御システムの第７の実施形態を示すフローで、保護制御装置から状態情報を取得して予め設定された日時に予め設定した表示形式で電子ファイルに保存するまでのフローを示すフローチャートである。
【図１２】本発明に係る電力系統保護制御システムの第８の実施形態を示すフローで、汎用パソコンから保護制御装置へ制御情報を転送するフローを示すフローチャートである。
【図１３】本発明に係る電力系統保護制御システムの第９の実施形態を示すフローで、汎用パソコンから保護制御装置へ制御情報を転送するフローを示すフローチャートである。
【図１４】本発明に係る電力系統保護制御システムの第１０の実施形態を示すフローで、汎用パソコンから保護制御装置へ制御情報を転送するフローを示すフローチャートである。
【発明を実施するための形態】
【００１３】
以下、本発明に係る電力系統保護制御システムの実施形態について、図面を参照して説明する。
【００１４】
［第１の実施形態］
本発明に係る電力系統保護制御システムの第１の実施形態について、図１〜図３を用いて説明する。図１は、本実施形態の保護制御システムの概略構成図である。図２は、図１の汎用パソコン２の表示画面の画面構成の一例を示す図である。図３は、本実施形態の汎用パソコン２の表示画面の表示形式と同じ表示形式で紙出力（印刷）を行うまでのフローを示すフローチャートである。
【００１５】
本実施形態の電力系統保護制御システムは、図１に示すように、保護制御装置１と、遠隔制御装置を有する。保護制御装置１は、電力系統内の複数の機器（図示せず）に接続されてこれらの機器の保護および制御を行う。遠隔制御装置は、汎用のパーソナルコンピュータ（汎用パソコン２）であって、ＬＡＮケーブル３などで保護制御装置１と接続されている。
【００１６】
保護制御装置１は、電力系統内の機器の状態を示す状態情報を記憶する機能を有する。ここで状態情報とは、電力系統内の機器の状態を示す情報であって、例えば、開閉器の開閉状態を示す情報や、機器間を流れる電流値などのプロセスデータが含まれる。
【００１７】
さらに、保護制御装置１は、この状態情報を所定の表示形式で表示するための情報を含む表示形式情報を記憶する機能を有している。これらの状態情報および表示形式情報それぞれを遠隔制御装置（汎用パソコン２）に伝送する機能を有している。
【００１８】
保護制御装置１に記憶（格納）されている情報は、ＬＡＮケーブル３などを経由して汎用パソコン２へ伝達されて表示される。汎用パソコン２には、プリンタ４などの紙出力装置が接続されている。
【００１９】
汎用パソコン２は、保護制御装置１から送信された状態情報および表示形式情報それぞれを受信して、これらを記憶する機能と、伝送された状態情報を表示形式情報の表示形式に基づいて表示する機能を有している。
【００２０】
この汎用パソコン２は、図２に示すように、保護制御装置１を運用および保守するために必要な情報をヒューマンインターフェース（ＨＩ）画面で表示する。図２の例の表示画面には、保護リレーの動作条件を設定および表示する整定画面や、保護制御装置１に入力する電圧や電流などの入力電気量画面等、複数のメニューが表示されている。
【００２１】
汎用パソコン２は、例えば保守員などのユーザから指示された時点で、保護制御装置１から受信した状態情報および表示形式情報それぞれを一時保存する機能を有している。さらに、汎用パソコン２の画面に表示される表示形式と同じ表示形式で印刷する機能を有している。
【００２２】
続いて、本実施形態の電力系統保護制御システムの作用について、図３のフローチャートを用いて説明する。
【００２３】
汎用パソコン２は、保護制御装置１から、電力系統内の機器の状態を示す状態情報と、この状態情報の表示形式情報とを取得する（ステップＳ３１）。汎用パソコン２は、取得した情報を保護制御装置１で表示している表示形式（画面構成）と同じ表示形式で表示する（ステップＳ３２）。これらの情報の取得は所定の時間間隔をあけて随時行われ、汎用パソコン２に表示される状態情報は、随時更新されている。
【００２４】
ユーザから印刷指示がなされたときに（ステップＳ３３）、汎用パソコン２は、表示画面に表示される状態情報の更新を一時停止して、汎用パソコン２の表示画面に表示された状態情報を保存する（ステップＳ３４）。この後に、保存した状態情報を、表示画面と同じ表示形式で印刷する（ステップＳ３５）。
【００２５】
印刷指示がないときには、所定の間隔で状態情報を取得し続ける（ステップＳ３６）。
【００２６】
本実施形態によれば、任意のタイミングで汎用パソコン２に表示された状態情報を、汎用パソコン２の表示画面と同じ表示形式で直接紙出力することができるため、保守作業の作業効率を向上させることが可能になる。
【００２７】
［第２の実施形態］
本発明に係る電力系統保護制御システムの第２の実施形態について、図４および図５を用いて説明する。図４は、本実施形態の電力系統保護システムの概略構成図である。図５は、本実施形態の汎用パソコン（遠隔制御装置）２の表示画面の表示形式と同じ表示形式で電子ファイルに保存するまでのフローを示すフローチャートである。なお、本実施形態は、第１の実施形態の変形例であって、第１の実施形態と同一部分または類似部分には、同一符号を付して、重複説明を省略する。
【００２８】
本実施形態の電力系統保護系統システムは、図４に示すように、保護制御装置１と、汎用パソコン２を有する。
【００２９】
本実施形態の汎用パソコン２は、図５に示すように、第１の実施形態と同様に、保護制御装置１から状態情報および表示形式情報を取得して（ステップＳ５１）、取得した情報を保護制御装置１で表示している表示形式（画面構成）と同じ表示形式で表示する（ステップＳ５２）。ユーザから印刷指示を受けたときに（ステップＳ５３）、汎用パソコン２は、表示画面の状態情報の更新を一時停止して、汎用パソコン２の表示画面に表示された状態情報を保存する（ステップＳ５４）。
【００３０】
ここで保存した状態情報を、表示画面と同じ表示形式でＰＤＦなどの電子データ形式に変換する（ステップＳ５５）。ここで変換された電子データを電子ファイルとして汎用パソコン２に保存する（ステップＳ５６）。
【００３１】
電子ファイルの保存が完了した後、または、印刷指示がないときは、所定の間隔で状態情報を取得し続ける（ステップＳ５７）。
【００３２】
本実施形態によれば、任意のタイミングで汎用パソコン２に表示された電力系統内の機器の状態情報を電子ファイルに保存することができるため、保守作業の作業効率を向上させることが可能になる。
【００３３】
［第３の実施形態］
本発明に係る電力系統保護制御システムの第３の実施形態について、図６を用いて説明する。図６は、本実施形態の汎用パソコン２の表示画面の表示形式と同じ表示形式で編集可能な電子ファイルに変換して保存するまでのフローを示すフローチャートである。本実施形態の電力系統保護制御システムは、図４と同様の構成である。
【００３４】
本実施形態の汎用パソコン２は、図６に示すように、第２の実施形態と同様に、保護制御装置１から状態情報および表示形式情報を取得して（ステップＳ６１）、取得した情報を保護制御装置１で表示している表示形式（画面構成）と同じ表示形式で表示する（ステップＳ６２）。ユーザから印刷指示を受けたときに（ステップＳ６３）、汎用パソコン２は、表示画面の状態情報の更新を一時停止して、汎用パソコン２の表示画面に表示された状態情報を保存する（ステップＳ６４）。
【００３５】
ここで保存した状態情報が数値データであるか文字データであるかを確認する（ステップＳ６５）。状態情報のうち、数値データは、例えば表計算ソフトウェアで扱えるデータ形式に変換して（ステップＳ６６）、文字データは、例えば文書作成ソフトウェアで扱えるデータ形式に変換する（ステップＳ６７）。変換された数値データおよび文字データそれぞれは、汎用パソコン２内に保存される（ステップＳ６８）。
【００３６】
それぞれのデータ形式に変換して保存が完了した後は、所定の間隔で状態情報を取得し続ける（ステップＳ６９）。
【００３７】
本実施形態によれば、任意のタイミングで汎用パソコン２に表示された電力系統内の機器の状態情報を編集可能なデータ形式に変換できるため、任意の表示形式への変換が容易になり、保守員の作業効率がより向上する。
【００３８】
［第４の実施形態］
本発明に係る電力系統保護制御システムの第４の実施形態について、図７および図８を用いて説明する。図７は、状態情報などを表示するために予め設定した表示形式の例を示した図である。図８は、本実施形態の保護制御装置１から状態情報を取得して予め設定した表示形式で印刷するまでのフローを示すフローチャートである。本実施形態の電力系統保護制御システムは、図１と同様の構成である。
【００３９】
本実施形態の電力系統保護制御システムは、汎用パソコン２に表示された状態情報を、汎用パソコン２で表示されている表示形式とは別に予め設定された表示形式に変換する機能を有する。
【００４０】
汎用パソコン２は、図８に示すように、保護制御装置１から状態情報および表示形式情報を取得して（ステップＳ８１）、取得した情報を保護制御装置１で表示している表示形式（画面構成）と同じ表示形式で表示する（ステップＳ８２）。
【００４１】
ユーザにより印刷指示を受けたときに（ステップＳ８３）、汎用パソコン２に表示されている状態情報およびこのときの表示形式情報を保存する（ステップＳ８４）。
【００４２】
ここで保存された情報のうち、汎用パソコン２で表示している表示形式とは別にユーザにより予め設定された表示形式に沿って、必要な状態情報を抽出する（ステップＳ８５）。抽出された状態情報を、予め設定された表示形式に入力して（ステップＳ８６）、この表示形式で印刷する（ステップＳ８７）。
【００４３】
印刷が完了した後は、所定の間隔で状態情報を取得し続ける（ステップＳ８８）。
【００４４】
本実施形態によれば、保護制御装置１の運用に必要な情報を、予め指定した表示形式で印刷できる。これにより、ユーザが点検報告のための書類など、別の書式で状態情報を整理する作業が省けるため、保守作業の効率が向上する。
【００４５】
［第５の実施形態］
本発明に係る電力系統保護制御システムの第５の実施形態について、図９を用いて説明する。図９は、本実施形態の保護制御装置１から状態情報を取得して予め設定された日時に所定の表示形式で印刷するまでのフローを示すフローチャートである。本実施形態の電力系統保護制御システムは、図１と同様の構成である。
【００４６】
本実施形態の電力系統保護制御システムは、汎用パソコン２に表示された状態情報を、予め設定されたタイミング（日時）に、汎用パソコン２で表示されている表示形式とは別に予め設定された表示形式に変換する機能を有する。
【００４７】
汎用パソコン２は、図９に示すように、保護制御装置１から状態情報および表示形式情報を取得して（ステップＳ９１）、取得した情報を保護制御装置１で表示している表示形式（画面構成）と同じ表示形式で表示する（ステップＳ９２）。
【００４８】
予め設定された日時のときに（ステップＳ９３）、汎用パソコン２に表示されている状態情報およびこのときの表示形式情報を保存する（ステップＳ９４）。
【００４９】
ここで保存された情報のうち、第４の実施形態と同様に、汎用パソコン２で表示している表示形式とは別にユーザにより予め設定された表示形式に沿って、必要な状態情報を抽出する（ステップＳ９５）。抽出された状態情報を予め設定された表示形式に変換して（ステップＳ９６）、印刷する（ステップＳ９７）。
【００５０】
印刷が完了した後、または、設定した日時でないときは、所定の間隔で状態情報を取得し続ける（ステップＳ９８）。
【００５１】
本実施形態によれば、第４の実施形態の効果に加え、ユーザが予め指示するタイミングで保護制御装置１の運用に必要な状態情報を抽出できる。
【００５２】
［第６の実施形態］
本発明に係る電力系統保護制御システムの第６の実施形態について、図１０を用いて説明する。図１０は、本実施形態の保護制御装置１から状態情報を取得して予め設定した表示形式で電子ファイルに保存するまでのフローを示すフローチャートである。本実施形態の電力系統保護制御システムは、図４と同様の構成である。
【００５３】
本実施形態の電力系統保護制御システムは、汎用パソコン２に表示された状態情報を、汎用パソコン２で表示されている表示形式とは別に予め設定された表示形式に変換し、変換された表示形式で表示された状態情報を電子ファイルとして保存する機能を有する。
【００５４】
汎用パソコン２は、図１０に示すように、保護制御装置１から状態情報および表示形式情報を取得して（ステップＳ１０１）、取得した情報を保護制御装置１で表示している表示形式（画面構成）と同じ表示形式で表示する（ステップＳ１０２）。
【００５５】
ユーザにより印刷指示を受けたときに（ステップＳ１０３）、汎用パソコン２に表示されている状態情報およびこのときの表示形式情報を保存する（ステップＳ１０４）。
【００５６】
ここで保存された情報のうち、第４の実施形態と同様に、汎用パソコン２で表示している表示形式とは別にユーザにより予め設定された表示形式に沿って、必要な状態情報を抽出する（ステップＳ１０５）。抽出された状態情報を予め設定された表示形式に変換する（ステップＳ１０６）。変換された情報は、例えばＰＤＦなどの電子データ形式の電子ファイルとして保存される（ステップＳ１０７）。
【００５７】
保存が完了した後は、所定の間隔で状態情報を取得し続ける（ステップＳ１０９）。
【００５８】
本実施形態によれば、保護制御装置１の運用に必要な状態情報を予め指定した表示形式で電子ファイルに保存できる。これにより、ユーザが点検報告のための書類など、別の書式で状態情報を整理する作業が省けるため、保守作業の効率が向上する。
【００５９】
［第７の実施形態］
本発明に係る電力系統保護制御システムの第７の実施形態について、図１１を用いて説明する。図１１は、本実施形態の保護制御装置１から状態情報を取得して予め設定された日時に予め設定した表示形式で電子ファイルに保存するまでのフローを示すフローチャートである。本実施形態の電力系統保護制御システムは、図４と同様の構成である。
【００６０】
本実施形態の電力系統保護制御システムは、第５の実施形態の特徴と第６の実施形態の特徴とを有している。
【００６１】
汎用パソコン２は、図１１に示すように、保護制御装置１から状態情報および表示形式情報を取得して（ステップＳ１１１）、取得した情報を保護制御装置１で表示している表示形式（画面構成）と同じ表示形式で表示する（ステップＳ１１２）。
【００６２】
ここで第５の実施形態と同様に、予め設定された日時のときに（ステップＳ１１３）、汎用パソコン２に表示されている状態情報およびこのときの表示形式情報を保存する（ステップＳ１１４）。
【００６３】
ここで保存された情報のうち、第６の実施形態と同様に、汎用パソコン２で表示している表示形式とは別にユーザにより予め設定された表示形式に沿って、必要な状態情報を抽出する（ステップＳ１１５）。抽出された状態情報を予め設定された表示形式に変換する（ステップＳ１１６）。変換された情報は、例えばＰＤＦなどの電子データ形式の電子ファイルとして保存される（ステップＳ１１７）。
【００６４】
保存が完了した後は、所定の間隔で状態情報を取得し続ける（ステップＳ１１９）。
【００６５】
本実施形態によれば、第５の実施形態の効果に加え、第６の実施形態の効果を得ることが可能になる。
【００６６】
［第８の実施形態］
本発明に係る電力系統保護制御システムの第８の実施形態について、図１２を用いて説明する。図１２は、本実施形態の汎用パソコン２から保護制御装置１へ制御情報を転送するフローを示すフローチャートである。本実施形態の電力系統保護制御システムは、図１と同様の構成である。
【００６７】
本実施形態の電力系統保護制御システムは、第１の実施形態の特徴に加え、汎用パソコン２内で作成された整定値情報などを含む制御情報を保護制御装置１に転送する機能を有している。
【００６８】
整定値は、電力系統内の機器の動作の基準値などを示すパラメータで、一般に表計算ソフトなどで計算されて作成される。本実施形態では、汎用パソコン２にインストールされた表計算ソフトで計算して作成されている。
【００６９】
汎用パソコン２は、保護制御装置１に同じ制御情報を少なくとも２回転送する。保護制御装置１では、汎用パソコン２から転送された２つの制御情報を比較して同じものであるか否かを判定する機能を有する。これにより、データ転送時のデータ化け等を検出することが可能になる。
【００７０】
以下に、本実施形態の電力系統保護制御システムの作用について説明する。
【００７１】
汎用パソコン２は、図１２に示すように、汎用パソコン２から保護制御装置１へ整定値情報を転送する（ステップＳ１２１）。保護制御装置１は、この整定値情報を受信して保存して（ステップＳ１２２）、汎用パソコン２に対して整定値情報の再転送を要求する（ステップＳ１２３）。
【００７２】
汎用パソコン２は、この要求に応じて、再度、整定値情報を保護制御装置１に転送する（ステップＳ１２４）。
【００７３】
整定値情報を２回受信した保護制御装置１は、１回目に受信した整定値情報と２回目に受信した整定値情報とを比較して、同じものか否かを判定する（ステップＳ１２５）。
【００７４】
ここで一致したときは、保護制御装置１で既に保存される整定値情報を、受信した整定値情報に更新する（ステップＳ１２６）。保護制御装置１は、汎用パソコン２に対して、整定値情報の転送が成功した旨を通知する（ステップＳ１２７）。汎用パソコン２は、この通知を受けて整定値転送が成功した旨を表示する（ステップＳ１２８）。
【００７５】
１回目に受信した整定値情報と２回目に受信した整定値情報とが一致しなかったときは、保護制御装置１側でこれらの整定値情報を破棄する（ステップＳ１２９）。保護制御装置１は、汎用パソコン２に対して、整定値情報の転送が失敗した旨を通知する（ステップＳ１２Ｘ）。汎用パソコン２は、この通知を受けて整定値転送が失敗した旨を表示する（ステップＳ１２Ｙ）。
【００７６】
本実施形態によれば、汎用パソコン２にインストールされた表計算ソフトで計算された整定値を保護制御装置１へ直接的に転送させることによって、保護制御装置１の整定値をより短時間で設定することが可能になる。
【００７７】
また、整定値情報を転送するときに発生するデータ化けを事前に検出することができるため、より信頼性が高い状態で省力化を図ることが可能になる。
【００７８】
［第９の実施形態］
本発明に係る電力系統保護制御システムの第９の実施形態について、図１３を用いて説明する。図１３は、本実施形態の汎用パソコン２から保護制御装置１へ制御情報を転送するフローを示すフローチャートである。本実施形態の電力系統保護制御システムは、図１と同様の構成である。
【００７９】
本実施形態の電力系統保護制御システムは、第８の実施形態で汎用パソコン２から保護制御装置１に転送する制御情報に、サム値が含まれている。汎用パソコン２および保護制御装置１それぞれで、整定値情報のサム値を計算する機能を有している。
【００８０】
保護制御装置１では、汎用パソコン２で計算されて転送されたサム値と、保護制御装置１で計算されたサム値を比較して、同じものであるか否かを判定する機能を有する。これにより、データ転送時のデータ化けなどを検出することが可能になる。
【００８１】
以下に、本実施形態の電力系統保護制御システムの作用について説明する。
【００８２】
汎用パソコン２は、図１３に示すように、先ず汎用パソコン２側で、転送しようとする整定値情報のサム値を計算して、このサム値および整定値情報それぞれを保護制御装置１へ転送する（ステップＳ１３１）。保護制御装置１は、このサム値および整定値情報を受信して保存する（ステップＳ１３２）。
【００８３】
保護制御装置１側では、受信した整定値情報に基づいてサム値を計算する（ステップＳ１３３）。保護制御装置１で、汎用パソコン２から転送されたサム値と、保護制御装置１で計算したサム値とを比較して、同じものか否かを判定する（ステップＳ１３４）。
【００８４】
それぞれのサム値が一致したときは、保護制御装置１で既に保存される整定値情報を、受信した整定値情報に更新する（ステップＳ１３５）。保護制御装置１は、汎用パソコン２に対して、整定値情報の転送が成功した旨を通知する（ステップＳ１３６）。汎用パソコン２は、この通知を受けて整定値転送が成功した旨を表示する（ステップＳ１３７）。
【００８５】
比較したサム値同士が一致しなかったときは、保護制御装置１側で受信した受信した整定値情報を破棄する（ステップＳ１３８）。保護制御装置１は、汎用パソコン２に対して、整定値情報の転送が失敗した旨を通知する（ステップＳ１３９）。汎用パソコン２は、この通知を受けて整定値転送が失敗した旨を表示する（ステップＳ１３Ｘ）。
【００８６】
本実施形態によれば、サム値を比較することで、転送情報のデータ化けなどを事前に検出することができるため、第８の実施形態に比べて、より効率的に転送状態を確認することが可能になる。
【００８７】
［第１０の実施形態］
本発明に係る電力系統保護制御システムの第１０の実施形態について、図１４を用いて説明する。図１４は、本実施形態の汎用パソコン２から保護制御装置１へ制御情報を転送するフローを示すフローチャートである。本実施形態の電力系統保護制御システムは、図１と同様の構成である。
【００８８】
本実施形態の電力系統保護制御システムは、第８の実施形態で汎用パソコン２から保護制御装置１に転送する制御情報に、巡回冗長検査（ＣＲＣ）用ビットが含まれている。保護制御装置１には、巡回冗長検査を行う機能が備えられている。巡回冗長検査は、データの転送や格納時にその一部が偶然変化したことを検出することができる検査である。
【００８９】
以下に、本実施形態の電力系統保護制御システムの作用について説明する。
【００９０】
汎用パソコン２は、図１４に示すように、先ず汎用パソコン２側で、巡回冗長検査（ＣＲＣ）用ビットを含む整定値情報を保護制御装置１へ転送する（ステップＳ１４１）。保護制御装置１は、この整定値情報を受信して保存する（ステップＳ１４２）。保護制御装置１で、巡回冗長検査を行い、誤り符号の有無を確認する（ステップＳ１４３）。
【００９１】
ここで、誤り符号がないときには、保護制御装置１で既に保存される整定値情報を、受信した整定値情報に更新する（ステップＳ１４４）。保護制御装置１は、汎用パソコン２に対して、整定値情報の転送が成功した旨を通知する（ステップＳ１４５）。汎用パソコン２は、この通知を受けて整定値転送が成功した旨を表示する（ステップＳ１４６）。
【００９２】
誤り符号があるときは、保護制御装置１側で受信した受信した整定値情報を破棄する（ステップＳ１４７）。保護制御装置１は、汎用パソコン２に対して、整定値情報の転送が失敗した旨を通知して（ステップＳ１４８）、汎用パソコン２は、この通知を受けて整定値転送が失敗した旨を表示する（ステップＳ１４９）。
【００９３】
本実施形態によれば、巡回冗長検査（ＣＲＣ）用ビットに基づいて巡回冗長検査を行うことによって、転送情報のデータ化けなどを事前に検出することができるため、第８の実施形態に比べて、より効率的に転送状態を確認することが可能になる。
【００９４】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００９５】
例えば、保護制御装置１と汎用パソコン２は、互いに離れた場所に配置されて、専用の広域通信網などを介して通信可能に接続することもできる。
【００９６】
また、第１〜第７の実施形態では、汎用パソコン２は、保護制御装置１から転送された情報を保護制御装置１で表示している表示形式と同じ表示形式で表示しているが、これに限らない。例えば、保護制御装置には、表示画面を設けなくともよい。
【符号の説明】
【００９７】
１…保護制御装置、２…汎用パソコン、３…ＬＡＮケーブル、４…プリンタ
【図１】
2010166725.tif 000003
【図２】
2010166725.tif 000004
【図３】
2010166725.tif 000005
【図４】
2010166725.tif 000006
【図５】
2010166725.tif 000007
【図６】
2010166725.tif 000008
【図７】
2010166725.tif 000009
【図８】
2010166725.tif 000010
【図９】
2010166725.tif 000011
【図１０】
2010166725.tif 000012
【図１１】
2010166725.tif 000013
【図１２】
2010166725.tif 000014
【図１３】
2010166725.tif 000015
【図１４】
2010166725.tif 000016